(57)【特許請求の範囲】
【請求項１】
横に並んで連結された２つの建物ユニットを備えたユニット式建物であって、
前記２つの建物ユニットは、それぞれ、四隅に立設される４本の柱とこれらの柱の上端間同士および下端間同士を結合する各４本の上梁、下梁のうち、１本の柱が取り外された骨組みと、前記上梁側に配置された補強部とを備え、これら２つの建物ユニットは、それぞれの前記柱のない角部同士が対向した状態で配設され、
前記補強部は、前記４本の上梁のうち他の建物ユニットと対向する側以外の３本の上梁に沿って平面コ字形状に設けられ、当該補強部における前記３本の柱と交差する部位はそれぞれに対応した柱に結合され、
当該補強部における他の建物ユニットと対向する端部には他の建物ユニットの前記補強部と連結される連結部が形成されている
ことを特徴とするユニット式建物。
【請求項２】
請求項１に記載のユニット式建物において、
前記補強部は、ラチス構造となっている
ことを特徴とするユニット式建物。
【請求項３】
横に並んだ２つの建物ユニットと、これら建物ユニットのそれぞれの上部に取り付けられると共に、互いに対向する端部同士が連結された２つの補強ユニットと、を備えたユニット式建物であって、
前記２つの建物ユニットは、それぞれ、四隅に立設される４本の柱とこれらの柱の上端間同士および下端間同士を結合する各４本の上梁、下梁のうち、１本の柱が取り外された骨組みを備え、これら２つの建物ユニットは、それぞれの前記柱のない角部同士が対向した状態で配設され、
前記２つの補強ユニットは、それぞれに対応する前記建物ユニットの平面大きさと対応し、かつ、対向配置された他の補強ユニット側が開口した平面コ字形状となる３つの垂直面を有した耐力壁部を備え、
前記耐力壁部における他の補強ユニットと対向する端部には他の補強ユニットの前記耐力壁部と連結される連結部が形成されている
ことを特徴とするユニット式建物。
【請求項４】
請求項３に記載のユニット式建物において、
前記３つの垂直面のうち少なくとも１つの垂直面がラチス構造となっている
ことを特徴とするユニット式建物。
【発明の詳細な説明】
【０００１】
【発明の属する技術分野】
本発明は、工業化住宅としてのユニット式建物に関する。
【０００２】
【背景技術】
工業化住宅としてのユニット式建物は、予め工場で生産された標準大きさの複数の建物ユニット等を現場で組み合わせることにより建てられる。
この建物ユニットは、図１０に示すように、四隅に立設される４本の柱２と、これらの柱２の上端間同士および下端間同士を結合する各４本の上梁３、下梁４を有する骨組み５を備えてほぼ箱状に形成され、このような骨組み５には、天井面材や床面材および内壁や外壁等が取り付けられるようになっている。そして、このような建物ユニット１は、トラック輸送の可能な標準大きさに形成されている。
【０００３】
【発明が解決しようとする課題】
ところで、住居内に例えば広い居間等のような大居住空間が形成されている場合、より快適な生活環境が得られる。
しかし、標準大きさの建物ユニットを組み合わせて建てられるユニット式建物では、隣接する建物ユニットの境界に、各建物ユニットの柱が集まることになり、この柱が邪魔となって、大居住空間を形成することが困難であるという問題がある。
この場合、各建物ユニットの柱が集まる箇所のそれぞれの柱を取り外すことも考えられるが、そうすると、１本の柱がなくなるので建物ユニットの剛性が小さくなり、結果としてユニット式建物全体の剛性も小さくなるという問題が生ずることになる。
【０００４】
本発明の目的は、１本の柱がなくても剛性を維持することができ、かつ、内部に柱のない大空間を容易に形成することができるユニット式建物を提供することにある。
【０００５】
【課題を解決するための手段】
本発明の第１発明のユニット式建物は、図面を参照して説明すると、図１に示すように、横に並んで連結された２つの建物ユニット１０を備えたユニット式建物２０であって、２つの建物ユニット１０は、それぞれ、四隅に立設される４本の柱とこれらの柱の上端間同士および下端間同士を結合する各４本の上梁３、下梁４のうち、１本の柱が取り外された骨組み１５と、上梁３側に配置された補強部１１とを備え、これら２つの建物ユニット１０は、それぞれの柱のない角部同士が対向した状態で配設され、補強部１１は、４本の上梁３のうち他の建物ユニット１０と対向する側以外の３本の上梁３Ａ，３Ｂに沿って平面コ字形状に設けられ、当該補強部１１における３本の柱２Ａ〜２Ｃと交差する部位はそれぞれに対応した柱２Ａ〜２Ｃに結合され、当該補強部１１における他の建物ユニット１０と対向する端部には他の建物ユニット１０の補強部１１と連結される連結部１７が形成されていることを特徴とするものである。
【０００６】
以上において、補強部における連結部は、この建物ユニットと同じ構造で補強部が勝手違いに形成されており、また、補強部の構造はどのようなものでもよく、例えば、棒材、パイプ材等を単体で設けてもよく、あるいは、枠組み形成したものを設けてもよいが、上梁の下方に主材を設けるとともにこれらの間にラチスを架けわたしたラチス構造とすることが好ましい。
【０００７】
このような本発明では、建物ユニットは、上梁側に補強部が設けられているので強度が大きくなり、柱が１本なくても剛性を確保することができる。また、このような建物ユニットを４個隣り合わせて設けることができ、このとき、補強部同士を連結できるので、ユニット式建物においても剛性を確保することができ、かつ、４つの建物ユニットにわたる柱なし大空間を容易に形成することができる。
【０００８】
本発明の第２発明のユニット式建物は、図１に示すように、請求項１に記載のユニット式建物における補強部１１を、ラチス構造としたことを特徴とするものである。
【０００９】
以上において、主材の間に架けわたすラチス材の種類は限定されず、棒材、パイプ材等を使用することができる。
このような本発明では、補強部がラチス構造となっているので、せんだん力変形を防止でき、かつ、大きな曲げ耐力を有し、これにより、柱が１本なくても剛性を確保することができる。
【００１０】
本発明の第３発明のユニット式建物は、図面を参照して説明すると、図５に示すように、横に並んだ２つの建物ユニット５０と、これら建物ユニット５０のそれぞれの上部に取り付けられると共に、互いに対向する端部同士が連結された２つの補強ユニット４０と、を備えたユニット式建物６０であって、２つの建物ユニット５０は、それぞれ、四隅に立設される４本の柱とこれらの柱の上端間同士および下端間同士を結合する各４本の上梁、下梁のうち、１本の柱が取り外された骨組み５５を備え、これら２つの建物ユニット５０は、それぞれの柱のない角部同士が対向した状態で配設され、２つの補強ユニット４０は、それぞれに対応する建物ユニット５０の平面大きさと対応し、かつ、対向配置された他の補強ユニット４０側が開口した平面コ字形状となる３つの垂直面を有した耐力壁部４０Ａ〜４０Ｃを備え、耐力壁部４０Ａ，４０Ｃにおける他の補強ユニット４０と対向する端部には他の補強ユニット４０の耐力壁部４０Ａ，４０Ｃと連結される連結部４７が形成されていることを特徴とするものである。
【００１１】
以上において、補強ユニットの構造はどのようなものでもよく、例えば、棒材、パイプ材等を単体で設けてもよく、あるいは、枠組み形成したものを設けてもよいが、上下の主材間にラチスを架けわたしたラチス構造とすることが好ましい。また、補強ユニットの形状を３つの辺に沿った平面コ字状とするには、３つのユニットを形成してそれらを組み立ててもよいし、平面コ字状にユニット化したものとしてもよい。
【００１２】
このような本発明では、耐力壁部を有する補強ユニットが建物ユニットの上部に設けられるので、建物ユニットの強度が大きくなり、これにより、建物ユニットの柱が１本なくても剛性を確保することができる。また、このような補強ユニットを建物ユニットの上に載せた状態で４個隣り合わせて設けることができ、このとき、補強ユニット同士を連結できるので、ユニット式建物においても剛性を確保することができ、かつ、４つの建物ユニットにわたる柱なし大空間を容易に形成することができる。さらに、３つの垂直面を備えた補強ユニットの平面大きさと、建物ユニットの平面大きさとが対応しているので、補強ユニットの建物ユニットへの取り付け作業時の位置決めが容易となり、作業効率の向上を図ることができる。
【００１３】
本発明の第４発明のユニット式建物は、図５に示すように、請求項３に記載のユニット式建物における耐力壁部４０Ａ〜４０Ｃの３つの垂直面のうち、少なくとも１つの垂直面をラチス構造としたことを特徴とするものである。
【００１４】
このような本発明では、耐力壁部４０Ａ〜４０Ｃの３つの垂直面のうち、少なくとも１つの垂直面がラチス構造となっているので、せんだん力変形を防止でき、かつ、大きな曲げ耐力を有し、これにより、建物ユニットは柱が１本なくても剛性を確保することができる。
【００１７】
【発明の実施の形態】
以下に、本発明の実施形態を図面に基づいて説明する。
この実施形態において、前記従来の建物ユニットの部材と同一部材には同一符号を付すとともに、その詳細な説明は省略または簡略化する。
図１に示すように、第１実施形態の建物ユニット１０は、前記建物ユニット１の４本の柱２のうち、１本の柱が取り除かれた形状、つまり、第１の柱２Ａ、第２の柱２Ｂおよび第３の柱２Ｃを含む骨組み１５を備えて形成されており、この骨組み１５はラチス構造の補強部１１を有している。
【００１８】
この補強部１１は、建物ユニット１０の一つの長辺と二つの短辺に沿って設けられ平面コ字状に形成されている。
すなわち、補強部１１は、第１の柱２Ａの上端に設けられた短辺上梁３Ａの下部に形成された第１補強部１１Ａ、第１の柱２Ａと第２の柱２Ｂとに架けわたされた長辺上梁３Ｂの下部に形成された第２補強部１１Ｂおよび、第２の柱２Ｂと第３の柱２Ｃとに架けわたされた短辺上梁３Ａの下部に形成された第３補強部１１Ｃとで構成されている。
【００１９】
それぞれの補強部１１Ａ〜１１Ｃは、上梁３Ａ、３Ｂの所定寸法下方に当該上梁３Ａ、３Ｂと上下に平行に設けられた主材１２を備えている。
これらの主材１２のうち、第２補強部１１Ｂと第３補強部１１Ｃの主材１２の両端部はそれぞれ各柱２Ａ、２Ｂ、２Ｃに結合され、第１補強部１１Ａの主材１２は、一端のみが第１の柱２Ａの側面に結合されている。第１補強部１１Ａ側の短辺上梁３Ａの他端は、第３の柱２Ｃから延びたもう一本の長辺上梁３Ｂの他端と結合しており、第１補強部１１Ａの主材１２の他端は、角パイプ等でなる縦部材１３で短辺上梁３Ａと結合されている。
【００２０】
短辺上梁３Ａの下面と主材１２の上面および長辺上梁３Ｂの下面と主材１２の上面との間には、例えば溝型状部材、丸棒等で形成されたラチス１４が波形状に架けわたされ、これにより、補強部１１はラチス構造となっている。
従って、建物ユニット１０は、補強部１１によりせん断力変形の減少が可能となり、かつ、曲げ耐力が大きくなって、柱が１本なくても剛性が確保されていることになる。
なお、第１補強部１１Ａの他端の下部には、建物ユニット１０の輸送時の変形等を防止するため、仮柱１６が着脱自在に取り付けられている。
【００２１】
このような第１補強部１１Ａの他端部は、図２に示すように、対向配置される他の建物ユニット１０の他端部と連結するための連結部１７となっている。この連結部１７には、他の建物ユニット１０の連結部１７にわたる連結プレート１８が溶接等で取り付けられるようになっている。従って、隣接する２つの建物ユニット１０は、これらの連結プレート１８で強固に連結されるため、各ユニット１０の柱がない角部でも、各ユニット１０の第１補強部１１Ａ同士の結合により、充分な剛性を確保できるようになっている。
また、第３補強部１１Ｃの他端部にも、第１補強部１１Ａの他端部と同様に連結部１７が形成され、図１に示すように、連結プレート１８で対向配置される他の建物ユニット１０と連結固定されるようになっている。
【００２２】
また、このような建物ユニット１０の上に上階建物ユニットを載せて連結する際は、通常の建物ユニットの組み合わせ時に使用するシェアプレート３３、３４を用いる。これらのシェアプレート３３、３４には、建物ユニット１０の柱２Ａ等の上端に突設された図略の係合ピンが挿通する穴が明けられ、一方、上階建物ユニットの柱の下面にも、上記係合ピンが挿通する穴が明けられている。さらに、これらのピン等で上下の建物ユニットの位置決めを行った後、各ユニットの対向する梁同士を図略のボルト、ナット等で連結固定するようになっている。
【００２３】
次に、図３に基づいて、以上の建物ユニット１０を利用して建てるユニット式建物２０を説明する。
このユニット式建物２０では、現場で、建物ユニット１０を例えば４つ、柱のない角部を一ヶ所に集めて下階２１用として配置するとともに、互いの連結部１７、１７を連結プレート１８で結合し、その後、仮柱１６を取り外す。そして、これらの建物ユニット１０の上部に、前記標準的な建物ユニット１を使用した複数の上階建物ユニット２２を載せて建物の上階２３を形成する。また、上階建物ユニット２２の上方に、屋根束２４、ブラケット２５等で支持して屋根パネル２６を設けて建物の屋根を形成する。
【００２４】
各建物ユニット１０の下梁４上には床面材２７が設けられ、このユニット１０の天井面材２８は、前記補強部１１の主材１２に設けられた天井小梁（図略）に取り付けられている。また、上階建物ユニット２２の下梁４上には床面材２７’が設けられ、上梁３には天井面材２８’が取り付けられており、各ユニット１０、２２には、内壁２９、外壁３０等が取り付けられている。
【００２５】
下階２１の天井面材２８と上階２３の床面材２７’との間には、補助部１１を含む所定寸法の空間が形成されているので、この空間には、例えば上階２３側から吊り下げるようにした収納部３１が設けられ、空間の有効利用が図られている。また、２つの建物ユニット１０の接合部の一部には柱がないので、下階２１は４つの建物ユニット１０にわたる広い居住区間Ａが形成されている。
【００２６】
また、以上の建物ユニット１０を利用して図４に示すようなユニット式建物２０’を建ててもよい。
このユニット式建物２０’では、下階２１の天井面材２８を１方側の建物ユニット１０に取り付けるとともに、他方側の建物ユニット１０の天井面材とその上の上階建物ユニット２２の床面材とを取り付けずに両者の間を吹き抜けにし、これにより、吹き抜け空間を有する広い居住区間Ａ’が形成されている。
【００２７】
このような本第１実施形態によれば、次のような効果がある。
すなわち、建物ユニット１０の柱のない側の上梁３Ａの下部を含む他の上梁３Ｂ、３Ａの下部には、ラチス構造の補強部１１が設けられているので、せん断力変形の減少が可能となり、かつ、曲げ耐力が大きくなって、柱が１本なくても剛性が確保される。
また、４つの建物ユニット１０を柱のない角部を１ヶ所に集めて配置することができ、このとき、２個づつの建物ユニット１０の補強部同士１１を連結できるので、ユニット式建物２０においても剛性を確保することができ、かつ、４つの建物ユニット１０にわたる柱なし大空間を容易に形成することができる。
【００２８】
さらに、建物ユニット１０と上階建物ユニット２２との組み合わせの例によって、柱なし大空間を容易に形成することができる他、収納スペースを確保でき、また、吹き抜け部を有する大空間をも容易に形成でき、快適な生活環境を得ることができる。
また、建物ユニット１０の柱のない部分には、仮柱１６が着脱自在に取り付けられるので、建物ユニット１０の輸送時でもそのユニット１０の変形を防止することができる。
【００２９】
図５には本発明の第２の実施形態が示されており、本第２実施形態は、前記第１実施形態が本発明の目的を達成するために補強部１１を有する建物ユニット１０を用いたのに対して、補強部１１だけを別体としたような補強ユニット４０を用いたものである。
なお、この実施形態および次に述べる参考例において、前記一般的な建物ユニットおよび第１実施形態と同一構造および同一部材には、同一符号を付すとともに、その詳細な説明は省略または簡略化する。
【００３０】
図５に示すように、補強ユニット４０は、１本の柱が取り外された形状の建物ユニット５０の上部に配置されるようになっている。
まず、建物ユニット５０は、３本の柱２Ａ〜２Ｃ、これらの柱２Ａ〜２Ｃの上端間同士を結合する前記長辺上梁３Ｂ、短辺上梁３Ａからなる上梁３と、長辺下梁４Ｂと短辺下梁４Ａからなる下梁４とを有する骨組み５５を備えて構成されている。
【００３１】
前記補強ユニット４０は、建物ユニット５０の３つの辺３Ａ、３Ｂ等に沿った形状の平面コ字状に形成され、建物ユニット５０の平面形状と対応した大きさとなっている。この補強ユニット４０は、建物ユニット５０の四隅に対応する位置に立設する４本の柱４２を備えている。この柱４２は例えば４００〜５００mm程度の長さ寸法に形成されており、これらの柱４２の上端間同士は、２本の短辺上側主材４３Ａと１本の長辺上側主材４３Ｂとで結合され、下端同士は２本の短辺下側主材４５Ａと１本の長辺下側主材４５Ｂとで結合されている。そして、短辺上側主材４３Ａと短辺下側主材４５Ａ間、長辺上側主材４３Ｂと長辺下側主材４５Ｂ間には、前記ラチス１４と同様のラチス４４が波形状に架けわたされてラチス構造となっており、耐力壁部を構成している。また、建物ユニット５０の柱のない側に配置される１つの短辺側が第１の垂直面部４０Ａ、長辺側が第２の垂直面部４０Ｂ,他の短辺側が第３の垂直面部４０Ｃを構成している。
【００３２】
第１の垂直面部４０Ａと第３の垂直面部４０Ｃとの端部は、図６に示すように、補強ユニット４０と対向配置される他の補強ユニット４０の他端部と連結するための連結部４７となっている。この連結部４７には、他の補強ユニット４０の連結部４７にわたる連結プレート４８が溶接等で取り付けられるようになっている。従って、隣接する２つの補強ユニット４０は、これらの連結プレート４８で強固に連結されるため充分な剛性を確保できるようになっている。
【００３３】
また、このような補強ユニット４０と建物ユニット５０との連結は、図５に示すように、前記シェアプレート３３、３４を使用して行われる。これらのシェアプレート３３、３４には、建物ユニット５０の柱２の上端に突設された図略の係合ピンが挿通する穴が明けられ、一方、補強ユニット４０の柱４２の下面にも、上記係合ピンが挿通する穴が明けられている。さらに、これらのピン等で補強ユニット４０と建物ユニット５０との位置決めを行った後、補強ユニット４０の短辺下梁４４Ａ、長辺下梁４４Ｂと、建物ユニット５０の短辺上梁３Ａ、３Ａ’、長辺上梁３Ｂとは、図示しないがボルト、ナット等で連結固定されるようになっている。
【００３４】
次に、図７に基づいて、以上の補強ユニット４０を利用して建てるユニット式建物６０を説明する。
このユニット式建物６０では、現場で、建物ユニット５０を例えば４つ、柱のない角部を一ヶ所に集めて下階６１用として配置した後、これらの建物ユニット５０の上部に補強ユニット４０をシェアプレート４５、４６等を介在させて取り付けるとともに、ボルト、ナット等で連結固定し、同時に補強ユニット４０同士を連結プレート４８で連結する。この後、建物ユニット５０から仮柱１６を取り外し、次いで、これらの補強ユニット４０の上部にシェアプレート等を介在させて前記標準的な建物ユニット１を使用した複数の上階建物ユニット６２を載せて建物の上階６３を形成する。
【００３５】
下階６１の天井面材２８と上階６３の床面材２７’との間には、補強ユニット４０が介在されているので、大きな空間が形成されていることになり、この空間には、例えば上階６３側から吊り下げるようにした前記収納部３１が設けられており、空間の有効利用が図られている。また、下階６１において４つの建物ユニット５０の集まる中央部には柱がないので、４つの建物ユニット５０にわたる広い居住区間Ａとなっている。
【００３６】
また、図示しないが、以上の補強ユニット４０を利用して図４に示すユニット式建物２０’と同様のユニット式建物を建ててもよい。
すなわち、図７において下階６１の天井面材２８を１方側の建物ユニット５０に取り付けるとともに、他方側の建物ユニット５０の天井面材とその上の上階建物ユニット６２の床面材とを取り付けず、また、補強ユニット４０にも小梁や床面材等を取り付けずに、３者５０、４０、６１の間を吹き抜け構造とし、これにより、吹き抜け空間を有する広い居住区間が形成されたユニット式建物としたものである。
【００３７】
このような本第２実施形態によれば、次のような効果がある。
（１）建物ユニット５０の柱のない側を含む上梁３の上部に、ラチス構造の第１〜第３の垂直面部４０Ａ〜４０Ｃを有する補強ユニット４０が、建物ユニット５０の上部に設けられるので、せん断力変形の減少が可能となり、かつ、曲げ耐力が大きくなって、柱が１本なくても剛性が確保される。
（２）補強ユニット４０を建物ユニット５０の上に載せた状態で４つの建物ユニット５０を柱のない角部を１ヶ所に集めて配置することができ、このとき、２個づつの建物ユニット５０の補強ユニット４０同士を連結できるので、ユニット式建物６０においても剛性を確保することができ、かつ、４つの建物ユニット５０にわたる柱なし大空間を容易に形成することができる。
（３）建物ユニット５０の柱のない部分には、仮柱１６が着脱自在に取り付けられるので、建物ユニット５０の輸送時でもそのユニット５０の変形を防止することができる。
【００３８】
図８には本発明の参考例が示されており、本参考例は、前記第２実施形態の補強ユニット４０が平面コ字状の枠体であったものを、四角形の箱体で形成した補強ユニット７０としたものである。
【００３９】
補強ユニット７０は、前記建物ユニット５０の上部に載せられるようになっており、建物ユニット５０の平面形状と対応する大きさとなっている。
この補強ユニット７０は、例えば図１０に示す一般的な建物ユニット１と同様の構造で高さ寸法のみを低くした形状の高剛性の枠体７１を備えて形成されている。すなわち、この枠体７１は、四隅に立設される４本の柱７２と、これらの柱７２の上端間同士および下端間同士を結合する各２本づつの短辺上梁７３Ａ,長辺上梁７３Ｂからなる上梁７３と、各２本づつの短辺下梁７４Ａ,長辺下梁７４Ｂからなる下梁７４とを有する骨組み７５を備えて形成されている。このような枠体７１には壁面材、床面材等が取り付けられるようになっている。
そして、建物ユニット５０の柱のない側の上梁３Ａの上部に、柱７２、梁７３Ａ、７４Ａで囲まれた第１垂直面７１Ａが形成され、上梁３Ｂの上部に第２垂直面７１Ｂ、第１垂直面７１Ａの対向位置に第３垂直面７１Ｃ、第２垂直面７１Ｂの対向位置に第４垂直面７１Ｄがそれぞれ形成されており、これらの面７１Ａ等は耐力壁部となっている。
なお、補強ユニット７０の高さ寸法は、人が腰をかがめて入れる程度となっている。
【００４０】
このような補強ユニット７０の他端部（建物ユニット５０仮柱１６側）は、図８に示すように連結部７７となっている。そして、この連結部７７には、他の補強ユニット７０の連結部にわたる連結プレート７８が溶接等で取り付けられるようになっている。従って、隣接する２つの補強ユニット７０は、連結プレート７８で強固に連結されるため充分な剛性を確保できるようになっている。
【００４１】
次に、図９に基づいて、以上の補強ユニット７０を利用して建てるユニット式建物８０を説明する。
このユニット式建物８０では、現場で、建物ユニット５０を例えば４つ、柱のない角部を一ヶ所に集めて下階８１用として配置した後、これらの建物ユニット５０の上部に補強ユニット７０をシェアプレート３３、３４等を介在させて取り付けるとともに、ボルト、ナット等で連結固定し、同時に補強ユニット７０同士を連結プレート７８で連結する。この後、建物ユニット５０から仮柱１６を取り外し、次いで、これらの補強ユニット７０の上部にシェアプレート等を介在させて前記標準的な建物ユニット１を使用した複数の上階建物ユニット８２を載せて建物の上階８３を形成する。
【００４２】
下階８１の天井面材２８と上階６３の床面材２７’との間には、補強ユニット７０が介在されているので、この補強ユニット７０の下面に床面材７７を張り、上階建物ユニット８２の所定箇所の根太を取り外して補強ユニット７０の内部に出入りできるようにすれば、あるいは、上階への階段の踊り場等から出入りできるようにすれば、広く利用価値のある収納部３１’とすることができ、建物の広い収納スペースを確保することができる。そして、それと同時に、４つの建物ユニット５０の接合部の一部には柱がないので、下階８１には４つの建物ユニット５０にわたる広い居住区間Ａが形成されている。
【００４３】
また、図示しないが、以上の補強ユニット７０の上面にのみ天井面材を張りつけ、下階６１の天井面材とすることもでき、このようにすれば、補強ユニット７０の分だけ高い天井高さの下階８１とすることができる。
【００４４】
このような本参考例においても前記第２実施形態と同様の作用、効果を得ることができる他、補強ユニット７０を収納用として利用できるので、充分な収納スペースを確保することができるという効果がある。
【００４５】
なお、本発明は、前記各実施形態に限定されるものではなく、本発明の目的を達成できるものであれば、次に示すような変形形態でもよいものである。
すなわち、前記第２実施形態では、補強ユニット４０の第１〜３の垂直面４０Ａ〜４０Ｃをラチス構造としたが、これに限らず、高剛性であればラチス４４のない枠体だけで構成していてもよい。そして、このような実施形態でも前記第１実施形態の効果と同様の効果を得ることができる。
【００４６】
また、前記参考例では、補強ユニット７０を柱７２、梁７３、７４等で形成した枠体７１を備えたものとしたが、これに限らず、枠体７１にラチスを架けわたしてもよい。そして、このような実施形態でも前記参考例の効果と同様の効果を得ることができる。
【００４７】
【発明の効果】
以上に説明したように、本発明のユニット式建物によれば、建物ユニットは、上梁側に補強部が設けられているので強度が大きくなり、柱が１本なくても剛性を確保することができる。また、このような建物ユニットを複数個隣り合わせて設けることができ、このとき、補強部同士を連結できるので、ユニット式建物においても剛性を確保することができ、かつ、複数の建物ユニットにわたる柱なし大空間を容易に形成することができる。
【００４８】
また、本発明の補強ユニットによれば、耐力壁部を有する補強ユニットが建物ユニットの上部に設けられるので、建物ユニットの強度が大きくなり、これにより、建物ユニットの柱が１本なくても剛性を確保することができる。また、このような補強ユニットを建物ユニットの上に載せた状態で複数個隣り合わせて設けることができ、このとき、補強ユニット同士を連結できるので、ユニット式建物においても剛性を確保することができ、かつ、複数の建物ユニットにわたる柱なし大空間を容易に形成することができる。さらに、３つの垂直面を備えた補強ユニットの平面大きさと、建物ユニットの平面大きさとが対応しているので、補強ユニットの建物ユニットへの取り付け作業時の位置決めが容易となり、作業効率の向上を図ることができる。
【図面の簡単な説明】
【図１】  本発明の第１実施形態に係る補強部を有する建物ユニットを示す全体斜視図である。
【図２】  本第１実施形態の要部を示す斜視図である。
【図３】  本第１実施形態の補強部を有する建物ユニットを用いて建てたユニット式建物を示す全体図である。
【図４】  本第１実施形態の補強部を有する建物ユニットを用いて建てた他のユニット式建物を示す全体図である。
【図５】  本発明の第２実施形態に係る補強ユニットと建物ユニットとを示す分解斜視図である。
【図６】  本第２実施形態の要部を示す斜視図である。
【図７】  本第２実施形態の補強ユニットを用いて建てたユニット式建物を示す全体図である。
【図８】  本発明の参考例に係る補強ユニットと建物ユニットとを示す分解斜視図である。
【図９】  本参考例の補強ユニットを用いて建てたユニット式建物を示す全体図である。
【図１０】  一般的な建物ユニットの骨組みを示す全体斜視図である。
【符号の説明】
１  建物ユニット
２  柱
３  上梁
４  下梁
１０  補強部を有する建物ユニット
１１  補強部
１４、４４  ラチス
１７、４７、７７  連結部
１８、４８、７８  連結プレート
４０  補強ユニット
４０Ａ〜４０Ｃ  耐力壁部である第１〜３垂直面部
７１Ａ〜７１Ｄ  耐力壁部である第１〜４垂直面部
７０  箱状の補強ユニット
【図１】
0003820297.tif 000002
【図２】
0003820297.tif 000003
【図３】
0003820297.tif 000004
【図４】
0003820297.tif 000005
【図５】
0003820297.tif 000006
【図６】
0003820297.tif 000007
【図７】
0003820297.tif 000008
【図８】
0003820297.tif 000009
【図９】
0003820297.tif 000010
【図１０】
0003820297.tif 000011